(57)【要約】【課題】光ＬＡＮ回線が切断しても中央装置と全駅の駅装置間の情報伝送機能が確保できるＣＴＣシステムを提供する。【解決手段】中央装置１１と各駅装置５ａ〜５ｎ，６ａ〜６ｎ間を接続する光ＬＡＮ回線１，２とは別に迂回用光回線３，４を設け、光ＬＡＮ回線１，２の切断時に、操作部１４の操作により回線切替部１３，２１内の光スイッチを切替制御して光ＬＡＮ回線１，２に迂回用光回線３，４を接続し、迂回用光回線３，４を利用して中央装置１１と各駅装置５ａ〜５ｎ，６ａ〜６ｎ間の情報伝送を行う。【選択図】図１
2004040319.tif 000002
【特許請求の範囲】
【請求項１】
中央装置と各駅装置との間を、互いに逆方向に情報伝送する１対の光ＬＡＮ回線で接続する２重系構成の列車集中制御システムであって、
前記駅装置を迂回する１対の迂回用光回線と、この１対の迂回用光回線を前記１対の光ＬＡＮ回線に切替接続する回線切替手段とを設け、前記光ＬＡＮ回線故障時に、前記１対の迂回用光回線を経由して情報伝送可能に構成したことを特徴とする列車集中制御システム。
【発明の詳細な説明】
【０００１】
【発明の属する技術分野】
本発明は、逆方向に情報伝送する１対の光ＬＡＮ回線により中央装置と各駅装置間で情報伝送する列車集中制御（以下、ＣＴＣとする）システムに関し、特に、光ＬＡＮ回線切断時の冗長技術に関する。
【０００２】
【従来の技術】
ＣＴＣシステムは、中央指令所に中央装置を設け、線区内の各駅に連動装置と情報の授受を行う駅装置を設け、中央装置と各駅装置とを情報伝送路で接続する。そして、連動装置の列車在線情報や進路構成情報等を各駅装置から中央装置に伝送する一方、各駅装置から伝送された情報に基づいて中央装置から各駅装置に連動装置の制御情報を伝送することにより、中央指令所で線区内の各列車の運転を集中制御する。
【０００３】
ところで、中央装置と各駅装置との間の伝送情報量が多いＣＴＣシステムでは、情報伝送路に光ＬＡＮ回線を用いる。
この種の光ＬＡＮ回線を用いた従来のＣＴＣシステムでは、１対の光ＬＡＮ回線を備え、それぞれの光ＬＡＮ回線で互いに逆方向に情報伝送するよう２重系構成としている。こうすることで、一方の光ＬＡＮ回線の障害発生時に他方の光ＬＡＮ回線で情報伝送可能とし、各光ＬＡＮ回線の単独障害に対して伝送機能が影響されないよう冗長構成としている。
【０００４】
【発明が解決しようとする課題】
しかしながら、実際に１対の光ＬＡＮ回線を敷設する場合、４芯の光ファイバ（各光ＬＡＮ回線はそれぞれ往路と復路の２芯で構成される）を１本のケーブルに纏めた多芯光ケーブルを使用している。このため、ケーブルが切断した場合、４芯全ての光ファイバが切断してしまい、中央装置に対して切断箇所から遠方の駅装置との伝送ができなくなってしまうという問題があった。
【０００５】
本発明は上記問題点に着目してなされたもので、全ての光ＬＡＮ回線が切断しても中央装置と各駅装置間の情報伝送機能が確保できるＣＴＣシステムを提供することを目的とする。
【０００６】
【課題を解決するための手段】
このため、請求項１に記載の発明は、中央装置と各駅装置との間を、互いに逆方向に情報伝送する１対の光ＬＡＮ回線で接続する２重系構成の列車集中制御システムであって、前記駅装置を迂回する１対の迂回用光回線と、この１対の迂回用光回線を前記１対の光ＬＡＮ回線に切替接続する回線切替手段とを設け、前記光ＬＡＮ回線故障時に前記１対の迂回用光回線を経由して情報伝送可能に構成した。
【０００７】
かかる構成では、１対の光ＬＡＮ回線の故障時に、回線切替手段により１対の迂回用光回線を光ＬＡＮ回線に切替接続する。これにより、１対の光ＬＡＮ回線の一部と１対の迂回用光回線を介して中央装置と各駅装置とが接続され、中央装置と各駅装置間での情報伝送ができるようになる。
【０００８】
【発明の実施の形態】
以下、本発明の実施形態を図面に基づいて説明する。
図１は、本発明に係るＣＴＣシステムの一実施形態を示す全体構成図である。
図１において、本実施形態のＣＴＣシステムでは、通常時の指令所である第１指令所１０と、この第１指令所１０の指令機能に障害が発生した時に指令所として機能する第２指令所２０との間を、１対の光ＬＡＮ回線１，２で接続する。１対の光ＬＡＮ回線１，２は、従来同様の１本の多芯光ケーブルの中の４芯で構成され、図中矢印で示すように互いに逆方向に情報を伝送する。また、第１指令所１０と第２指令所２０との間に、光ＬＡＮ回線１，２に切断等により伝送障害が発生した時に情報伝送機能を確保するための１対の迂回用光回線３，４が設けられる。尚、迂回用光回線３，４には、既設の高速ディジタル専用線サービスの光回線を利用すればよい。
【０００９】
前記第１及び第２指令所１０，２０間の線区内の各駅には、１系駅装置５ａ，５ｂ，・・・，５ｎと２系駅装置６ａ，６ｂ，・・・，６ｎを設け、２重系構成としている。各駅の１系駅装置５ａ，５ｂ，・・・，５ｎは、光ＬＡＮ回線１の往路側（指令所１０から見て）光回線１ａと光ＬＡＮ回線２の復路側（指令所１０から見て）光回線２ｂに接続され、２系駅装置６ａ，６ｂ，・・・，６ｎは、光ＬＡＮ回線１の復路側光回線１ｂと光ＬＡＮ回線２の往路側光回線２ａに接続される。１系駅装置５ａ，５ｂ，・・・，５ｎと２系駅装置６ａ，６ｂ，・・・，６ｎは、同一の機能を有し並列動作するがいずれか一方の系が第１指令所１０と情報伝送する。尚、１系駅装置５ａ，５ｂ，・・・，５ｎ及び２系駅装置６ａ，６ｂ，・・・，６ｎは、連動装置から列車在線情報や進路構成情報等を受信して中央装置１１へ送信し、中央装置１１の制御情報を連動装置に送信することは従来同様である。
【００１０】
前記第１指令所１０には、光ＬＡＮ回線１，２を介して各駅の１系駅装置５ａ，５ｂ，・・・，５ｎ及び２系駅装置６ａ，６ｂ，・・・，６ｎと接続され情報の授受を行う中央装置１１と、迂回装置１２と、この迂回装置１２を介して光ＬＡＮ回線１，２を迂回用光回線３，４に切替接続する回線切替部１３と、この回線切替部１３の切替操作を行う操作部１４が備えられる。第２指令所２０には、迂回装置２１及び回線切替部２２が備えられる。尚、図示しないが、第２指令所２０には、第１指令所１０に代わって指令所となる場合に備えて第１指令所１０の中央装置２１と同様の機能が備えられていることは言うまでもない。ここで、前記迂回装置１２，２１と、回線切換部１３，２２及び操作部１４で回線切替手段を構成する。
【００１１】
前記中央装置１１は、従来と同様で各駅装置５ａ，５ｂ，・・・，５ｎ（又は６ａ，６ｂ，・・・，６ｎ）から伝送される情報に基づいて各駅装置５ａ，５ｂ，・・・，５ｎ（又は６ａ，６ｂ，・・・，６ｎ）に対して線区内の各列車の運転制御のための制御情報を伝送する。前記迂回装置１２，２１は、光ＬＡＮ回線１，２から伝送された情報の伝送速度変換や伝送手順等を制御するための装置である。
【００１２】
前記回線切替部１３，２２は、図２に示すように、それぞれ１つの光分岐器１３ａ，２２ａと、２つの光スイッチ１３ｂ，１３ｃと２２ｂ，２２ｃを備えて構成される。光スイッチ１３ｂ，２２ｂは光ＬＡＮ回線１，２と迂回用光回線３，４の接続用であり、光スイッチ１３ｃ，２２ｃは光ＬＡＮ回線１，２の一部を切り離すためのものである。
【００１３】
回線切替部１３では、図２のように分光器１３ａと光スイッチ１３ｃが光ＬＡＮ回線２に介装され、光スイッチ１３ｂが光ＬＡＮ回線１に介装される。また、回線切替部２２では、図２のように分光器２２ａと光スイッチ２２ｃが光ＬＡＮ回線１に介装され、光スイッチ２２ｂが光ＬＡＮ回線２に介装される。回線切替部１３，２２は、操作部１４により操作されるが、第２指令所２０の回線切替部２２は、第１指令所１０の操作部１４により迂回用光回線４を介して遠隔操作される。
【００１４】
次に、本実施形態のＣＴＣシステムの動作について説明する。
光ＬＡＮ回線１，２が正常な場合、図２の各光スイッチ１３ｂ，１３ｃと２２ｂ，２２ｃは、図の点線で示す接続状態にあり、光ＬＡＮ回線１，２と迂回用光回線３，４は切り離されている。この場合の情報伝送経路は、第１指令所１０→光ＬＡＮ回線１の往路側光回線１ａ→第２指令所２０→光ＬＡＮ回線１の復路側光回線１ｂ→第１指令所１０となる。また、逆方向については、第１指令所１０→光ＬＡＮ回線２の往路側光回線２ａ→第２指令所２０→光ＬＡＮ回線２の復路側光回線２ｂ→第１指令所１０となる。
【００１５】
従って、例えば中央装置１１の制御情報は、光ＬＡＮ回線１を介して各１系駅装置５ａ，５ｂ，・・・，５ｎへ送信され、光ＬＡＮ回線２を介して各２系駅装置６ａ，６ｂ，・・・，６ｎへ送信される。一方、各１系駅装置５ａ，５ｂ，・・・，５ｎの情報は光ＬＡＮ回線２を介して中央装置１１へ送信され、各２系駅装置６ａ，６ｂ，・・・，６ｎの情報は光ＬＡＮ回線１を介して中央装置１１へ送信される。
【００１６】
一方、光ケーブルが例えば図１のＡの箇所で切断された場合、従来では、駅装置５ａ、６ａと中央装置１１間は情報の授受が可能であるが、中央装置１１から見て切断箇所Ａより遠方の駅装置５ｂ〜５ｎ、６ｂ〜６ｎとは情報の授受ができなくなる。
本実施形態では、前記切断による伝送障害が発生した場合、操作部１４を手動操作し、操作部１からの操作信号により回線切替部１３，２２の各光スイッチ１３ｂ，１３ｃ、２２ｂ，２２ｃを切替制御して光ＬＡＮ回線１，２に迂回用光回線３，４を接続し、光ＬＡＮ回線１，２の一部と迂回用光回線３，４を利用して情報伝送機能を確保する。
【００１７】
即ち、操作部１４の操作により、回線切替部１３，２２の各光スイッチ１３ｂ，１３ｃ、２２ｂ，２２ｃを、図２の実線で示す接続位置に切換える。これにより、光スイッチ１３ｂを介して光ＬＡＮ回線１が迂回用光回線３に接続し、光スイッチ２２ｂを介して光ＬＡＮ回線２が迂回用光回線４に接続する。また、光スイッチ１３ｃと２２ｂとにより、光ＬＡＮ回線２の第１及び第２指令所１０、２０間の往路側光回線２ａが光ＬＡＮ回線２から切り離され、光スイッチ１３ｂと２２ｃにより光ＬＡＮ回線１の第１及び第２指令所１０、２０間の復路側光回線１ｂが光ＬＡＮ回線１から切り離され、各駅の２系駅装置６ａ〜６ｎが切り離される。これにより、図３のような伝送経路が形成される。
【００１８】
この場合、中央装置１１と駅装置５ａ間は、通常通り中央装置１１の制御情報が光ＬＡＮ回線１から駅装置５ａへ送信され、駅装置５ａの情報は光ＬＡＮ回線２から中央装置１１へ送信される。
また、中央装置１１とその他の駅装置５ｂ〜５ｎ間は、中央装置１１の制御情報が光ＬＡＮ回線２→分光器１３ａ→迂回装置１２→迂回用回線４→迂回装置２１→光スイッチ２２ｂ→光ＬＡＮ回線２の経路を経て駅装置５ｂ〜５ｎへ送信される。駅装置５ｂ〜５ｎの情報は、光ＬＡＮ回線１→分光器２２ａ→迂回装置２１→迂回用回線３→迂回装置１２→光スイッチ１３ｂ→光ＬＡＮ回線１の経路を経て中央装置１１へ送信される。
【００１９】
かかる構成によれば、光ＬＡＮ回線１，２が切断した場合でも、迂回用光回線３，４を利用することで、切断箇所より遠方の１系駅装置５ｂ〜５ｎとの情報伝送機能を確保でき、ＣＴＣシステムの信頼性を向上できる。
【００２０】
【発明の効果】
以上説明したように請求項１の発明によれば、切断等による光ＬＡＮ回線の伝送故障時にも、迂回用光回線を利用して中央装置と線区内の全駅の駅装置間の情報伝送機能を確保できる。これにより、光ＬＡＮで情報伝送するＣＴＣシステムの信頼性を向上できる。
【図面の簡単な説明】
【図１】本発明にかかるＣＴＣシステムの一実施形態を示す概略全体構成図
【図２】同上実施形態の回線切替部の構成図
【図３】迂回用光回線接続時の伝送経路の説明図
【符号の説明】
１、２　　光ＬＡＮ回線
３、４　　迂回用光回線
５ａ〜５ｎ　　１系駅装置
６ａ〜６ｎ　　２系駅装置
１０　　第１指令所
１１　　中央装置
１３、２２　　回線切替部
１４　　操作部
２０　　第２指令所
【図１】
2004040319.tif 000003
【図２】
2004040319.tif 000004
【図３】
2004040319.tif 000005